(57)【要約】【課題】使用者の頚部、肩部への揉み、指圧のマッサージ効果を与えるマッサージ器具を提供する。      【解決手段】マッサージ器具は、駆動ユニットによって、二枚の押圧板が相対して動き、使用者の頚部に揉みマッサージ効果を与える。また二枚の押圧板の外側の伝動軸には、指圧ユニットが連結され、各指圧ユニットは伝動軸の動きを受けて連続指圧を行う槌体が少なくともひとつ具えられ、各々が使用者の頚部、肩部に対して揉み、指圧のマッサージを行う。【選択図】図１
2006334060.tif 000002
【特許請求の範囲】
【請求項１】
機体内部に駆動ユニットを設置するマッサージ器具において、
駆動ユニットは、モータの駆動によって伝動軸が回転し、他に二個の指圧ユニットと伝動軸が相互に連結し、各指圧ユニットには伝動軸の動きによって連続指圧運動を行う槌体が少なくともひとつ設置されることを特徴とするマッサージ器具。
【請求項２】
機体の内部に二枚の押圧板によって同時に挟んだり、緩めたりする駆動ユニットが設置されるマッサージ器具において、そのうち、
二枚の押圧板は伝動軸と連結し、別に二個の指圧ユニットと伝動軸が連結し、各指圧ユニットには伝動軸によって動き、連続指圧運動を行う槌体が少なくともひとつ設置されることを特徴とするマッサージ器具。
【請求項３】
前記機体は、本体内側の既定部位置に関連部品を固定する固定部が設置されることを特徴とする請求項１記載のマッサージ器具。
【請求項４】
前記機体は、本体に相対する両側位置に使用者が握るためのハンドル部が設置されることを特徴とする請求項１記載のマッサージ器具。
【請求項５】
前記駆動ユニットは、モータの作動によって伝動軸を回転させ、モータの芯軸は主動ネジ桿に連接し、その伝動軸は主動ネジ桿と相互に噛み合う追動ギアに連接することを特徴とする請求項１記載のマッサージ器具。
【請求項６】
前記二枚の押圧板は、各々斜輪盤と伝動軸が相互に連結することを特徴とする請求項１記載のマッサージ器具。
【請求項７】
前記二枚の押圧板は、各々斜輪盤と伝動軸が相互に連結し、押圧板の斜輪盤と伝動軸の間には方向転換ユニットが設置され、その方向転換ユニットは１８０度の差込槽が成形され、伝動軸は差込ピンによって差込槽内に穿設され、方向転換ユニットと連結することを特徴とする請求項１記載のマッサージ器具。
【請求項８】
前記二個の指圧ユニットは、二枚の押圧板の外側位置に配置され、各指圧ユニットの槌体の一端には穿設軸が設置され、その穿設軸は機体の固定部箇所に固定され、各槌体と固定部の間にはバネが設置され、他に伝動軸の両端に凸輪が設置され、バネによって槌体と凸輪は常に接触した状態を保つことを特徴とする請求項１記載のマッサージ器具。
【請求項９】
前記槌体は、その末端の穿設軸に回転車輪と凸輪が接触して設置されることを特徴とする請求項８記載のマッサージ器具。
【請求項１０】
前記機体は、二枚の押圧板を軟質外カバーで覆うことを特徴とする請求項１記載のマッサージ器具。
【請求項１１】
機体の内部に駆動ユニットを設置するマッサージ器具において、
駆動ユニットはモータの駆動によって伝動軸を回転させ、そのモータの芯軸は主動ネジ桿に連接し、伝動軸箇所には主動ネジ桿と噛み合う追動ギアを連接するもので、
マッサージ器具は、二枚の押圧板を含み、この二枚の押圧板は各々斜輪盤と伝動軸を相互に連結し、駆動ユニットによって二枚の押圧板を動かし、同時に相互に挟んだり、緩めたりする動作を行い、そのうち、押圧板の斜輪盤と伝動軸の間には方向転換ユニットが設置され、その方向転換ユニットには１８０度の差込槽が設置され、伝動軸は差込ピンによって差込槽内に穿設し、方向転換ユニットと相互に連結するもので、
他に二個の指圧ユニットが伝動軸と相互に連結し、各指圧ユニットには伝動軸によって動き、連続指圧運動を行う槌体を少なくともひとつ具え、更に二個の指圧ユニットは、二枚の押圧板の外側位置に設置し、各指圧ユニットの槌体は機体の一端に穿設軸が設置され、その穿設軸は機体の固定部に固定され、各槌体と固定部の間にバネを設置し、他に伝動軸の両端には凸輪が設置され、バネによって槌体と凸輪は常時接触する状態を維持することを特徴とするマッサージ器具。
【請求項１２】
前記伝動軸は、そこに回転押圧部品を設置し、その回転押圧部品は伝動軸の中央位置近くに設置することを特徴とする請求項１１記載のマッサージ器具。
【請求項１３】
前記回転押圧部品は、凸輪の構造に類似することを特徴とする請求項１２記載のマッサージ器具。
【請求項１４】
前記伝動軸は、その中央位置に別の指圧ユニットを設置することを特徴とする請求項１１記載のマッサージ器具。
【請求項１５】
前記指圧ユニットは、伝動軸によって動き、連続指圧運動する槌体を少なくともひとつ具えることを特徴とする請求項１４記載のマッサージ器具。
【発明の詳細な説明】
【技術分野】
【０００１】
本発明は、マッサージ器具に関するもので、特に使用者の頚部、肩部への揉み、指圧のマッサージ効果を与えるものである。
【背景技術】
【０００２】
現代人はストレスが強く、また長時間の労働、勉学等姿勢を変えないことが多いため、常に頚部や肩部への凝りや痛みを感じている。肩の痛みの原因は多いが、原因は異なるとその治療の方法もまた同じではない。そのうち、適度なマッサージに依る頚部、肩部への刺激が最も効果のある方法である。適度なマッサージの後には血管の収縮、循環不良、筋肉が自然に収縮しない等の症状が明らかに改善され、同時に痛みの物質の蓄積を代謝し、痛みの悪循環を防止する。
【０００３】
マッサージの方法は、筋肉の緊張を解き、疲労を取り除くもので、中国医学の「按摩」、「導引按▲きょう▼」の概念を元にしている。押して撫ぜる手わざや緩やかな関節筋肉運動により、局部の血液循環を改善し、全身機能を改善する効果を具える。体の各部位の背筋に連なる筋肉、ツボの分布は異なるため、体の特定部位のマッサージの仕方や技術は異なる。現在、市場で見られるマッサージ器具は、ほとんどが機械の伝動によって、手指に近い揉み動作をする。
【０００４】
しかしながら、肩部の痛みを取り除くには適度な指圧が必要で、ただ揉み動作だけでは、頚部、及び肩部の痛みや凝りは取り除けない。
【発明の開示】
【発明が解決しようとする課題】
【０００５】
解決しようとする問題点は、一般のマッサージ器具には指圧機能がなく、揉み動作しかないので、凝りや痛みを十分に取り除けない点である。
【課題を解決するための手段】
【０００６】
本発明は、駆動ユニットによって、二枚の押圧板が相対して動き、使用者の頚部に揉みマッサージ効果を与える。また二枚の押圧板の外側の伝動軸には、指圧ユニットが連結され、各指圧ユニットは伝動軸の動きを受けて連続指圧を行う槌体が少なくともひとつ具えられ、各々が使用者の頚部、肩部に対して揉み、指圧のマッサージを行うことを最も主要な特徴とする。
【発明の効果】
【０００７】
本発明のマッサージ器具は、指圧ユニットによる指圧効果を具えることによって、肩部、頚部、脊髄部への揉み、指圧を同時に行うという利点がある。
【発明を実施するための最良の形態】
【０００８】
図１及び図２に示すとおり、マッサージ器具の基本構造は、機体１０、駆動ユニット２０、二枚の押圧板３０、二個の指圧ユニット４０及び伝動軸５１から構成される。そのうち、
【０００９】
機体１０は、マッサージ器具の関連ユニットが設置される主要構造であり、その本体内側既定部位には関連部品を固定するための固定部１１が設置され、本体の相対する両側位置には使用者が握るためのハンドル部１２が設置される。
【００１０】
図２、図３に示すとおり、駆動ユニット２０は、モータ２１によって、伝動軸５１が回転し、実施時、モータ２１の芯軸は、主動ネジ桿２２に連接し、伝動軸５１の箇所には、主動ネジ桿２２と噛み合う追動ギア２３が連接される。主動ネジ桿２２と追動ギア２３の伝動によって、モータ２１はその芯軸と９０度で配置された伝動軸５１を回転させる。
【００１１】
前述の二枚の押圧板３０は、各々斜輪盤５２と伝動軸５１の間に連結する。図２及び図４に示すとおり、押圧板３０の斜輪盤５２と伝動軸５１の間には、方向転換ユニット５３が設置され、その方向転換ユニット５３には１８０度の差込槽５３１が成形され、伝動軸５１は差込ピン５３２によって差込槽５３１内に穿設して連結し、方向転換ユニット５３が主連動軸を１８０度往復回転させると、斜輪盤５２の回転によってそれに属する押圧板３０が往復稼動し、二枚の押圧板３０を同時に相互に挟んだり、緩めたりする変化をし、それによって、使用者の頚部などの部位を揉んだり、摘まんだりするマッサージ効果を得る。更に方向転換ユニットによって二枚の押圧板が平行状態となり、平行に叩く動作も行う。
【００１２】
前述の二個の指圧ユニット４０は、二枚の押圧板３０外側に配置され、図５及び図６に示すとおり、各指圧ユニット４０には伝動軸５１によって動き、連続指圧運動を行う槌体４１が少なくともひとつ具えられ、実施時、各槌体４１は、機体１０の一端に穿設した穿設軸４２に設置され、その穿設軸４２は機体１０の固定部１１で定位され、槌体４１の位置を制限する。各槌体４１と固定部１１の間にはバネ４３が設置され、他に伝動軸５１の両端には凸輪５４が設置され、前述のバネ４３によって槌体４１と凸輪５４が常に接触した状態を保ち、槌体４１末端の穿設軸４２は回転車輪４４と凸輪５４に接触する。凸輪５４が回転する時、槌体４１はその軸線方向に沿って往復伸縮運動により、叩く動作を行う。更に伝動軸５１の中央位置には別の指圧ユニット４０が設置され、図８に示すとおり、その別の指圧ユニットには、同様に伝動軸５１によって動き、連続指圧運動する槌体４１が少なくともひとつ具えられる。
【００１３】
駆動ユニット２０を稼動させることにより、図７に示すとおり、使用者の頚部に作用する二枚の押圧板３０と、使用者の肩部に作用する指圧ユニット４０が同時に動き、それぞれが使用者の頚部、肩部を揉んだり、指圧したりしてマッサージ効果を得る。図８に示すとおり、伝動軸５１の中央位置に設置された別の指圧ユニット４０及び槌体４１は、駆動ユニット２０によって同時に三個の槌体が作動し、そのうち、二個の槌体は前後に伸縮し、槌体を上下伸縮させ、使用者の肩部及び脊髄部を指圧する。図４及び図７に示すとおり、マッサージ器具は、機体１０箇所の二枚の押圧板３０を軟質外カバー１３で覆うことにより、より安全で快適なマッサージとなる。
【００１４】
この他、伝動軸５１に回転押圧部品６０を設置し、図９に示すとおり、この回転押圧部品６０は凸輪構造に類似しており、伝動軸５１の中央位置近くに設置され、使用者の脊髄部にマッサージを施す。
【図面の簡単な説明】
【００１５】
【図１】本発明の外観立体図である。
【図２】本発明の構造分解図である。
【図３】本発明の駆動ユニットの構造断面図である。
【図４】本発明の押圧板の構造断面図である。
【図５】本発明の指圧ユニットの外観立体図である。
【図６】本発明の指圧ユニットの構造断面図である。
【図７】本発明の使用状態図である。
【図８】本発明の別の指圧ユニットの外観立体図である。
【図９】本発明の回転押圧部品の外観立体図である。
【符号の説明】
【００１６】
１０        機体
１１        固定部
１２        ハンドル部
１３        軟質外カバー
２０        駆動ユニット
２１        モータ
２２        主動ネジ桿
２３        追動ギア
３０        押圧板
４０        指圧ユニット
４１        槌体
４２        穿設軸
４３        バネ
４４        回転車輪
５１        伝動軸
５２        斜輪盤
５３        方向転換ユニット
５３１        差込槽
５３２        差込ピン
５４        凸輪
６０        回転押圧部品
【図１】
2006334060.tif 000003
【図２】
2006334060.tif 000004
【図３】
2006334060.tif 000005
【図４】
2006334060.tif 000006
【図５】
2006334060.tif 000007
【図６】
2006334060.tif 000008
【図７】
2006334060.tif 000009
【図８】
2006334060.tif 000010
【図９】
2006334060.tif 000011